(57)【要約】【課題】  敷居部の地面上にワイヤを緊張状態に張り渡して、このワイヤにパネル下方のリングを係留する仮設用門扉では、作業員や車両の出入りする都度、ワイヤを締めたり弛める必要があるので、作業員や車両の出入りの際に、このような操作を必要とせずに自由に出入りできる仮設用門扉を提供する。【解決手段】  支柱下端間の敷居部地面より下方に、溝形鋼製のレール保護ケース９を埋設し、この保護ケース９内の中央部に連結金具１３を設けて、この連結金具１３を中心とした保護ケース９内の左右両側に配置される一対のレール１２の外端を、保護ケース９の側端板１９に接続し、これらレール１２の内端は連結金具１３に接続することで、レール１２を保護ケース９内中空に敷設し、パネル下端のリング２１を前記レール１２に係留する。【選択図】  図２
2005076424.tif 000002
【特許請求の範囲】
【請求項１】
左右の支柱上端間に架設された支持梁によって、複数の走行棒の両側に折畳み可能に設けられたパネルが、開閉可能に吊下げ支持されている仮設用門扉において、
左右の支柱下端間における敷居部の地面下に、溝形鋼製のレール保護ケースを、上部開口縁が敷居部地面と同じ高さ位置にあるように埋設配置し、
この保護ケース内には、長さ方向に沿った中央部に連結金具を設けて、この連結金具を中心とする保護ケース内の左右両側に一対の棒状のレールを配置し、これらレールの外端は保護ケースの側端板に接続し、これらレールの内端は連結金具に接続することで、レールを保護ケース内の中空に敷設し、
パネル下端に設けたリングを前記レールに係留したことを特徴とする仮設用門扉。
【請求項２】
保護ケースの中央部に設けられる連結金具が、保護ケースの内側面から水平に突設したレール内端を連結するための左右一対の接続辺と、前記左右の接続辺の間における保護ケースの前後両側面間を、所定の間隔に保持するためにレールと直交する向きに貫通させた規制ボルトとを備えている請求項１の仮設用門扉。
【請求項３】
保護ケース中央部における規制ボルトが設けられる部分の保護ケース底面に、上方の両開きパネルにおける走行棒下端に設けられたフランス落とし錠の落し孔が設けられている請求項１の仮設用門扉。
【請求項４】
レールの外端が、保護ケースの両端を閉じる側端板の中央部より片側にずれた位置に接続されて、レールが保護ケース内の中央軸心線より片側に沿って敷設され、保護ケース側端板におけるレール外端接続部より下方の片隅に排水孔が設けられている請求項１の仮設用門扉。
【発明の詳細な説明】
【技術分野】
【０００１】
本発明は、工事現場等における工事用車両が出入するための出入口に設けられる工事現場等の仮設用門扉の改良に関するものである。
【背景技術】
【０００２】
従来におけるこの種の仮設用門扉としては、左右一対の支柱上端間に架設された支持梁によって、複数の走行棒の両側に折畳み可能に設けられたパネルが、開閉可能に吊下げ支持されるような構造のものが広く知られている。
【０００３】
また、この種の門扉としては、パネルが閉じられた状態において強風を受けると、パネルの下端が揺れ動いて危険な状態となるため、このような危険を防止するための手段として、左右の支柱の下端部間における地面より僅かに上方に、振れ止めワイヤを弛みなく張り渡しておき、パネルの下端に設けたリングを前記ワイヤに係留しておくことで、閉じられたパネルが強風によって動揺しないような構造となっている。
【特許文献１】実公昭５８−１３０３３号
【０００４】
一方、この種の門扉の別の構造としては、閉じられたパネルの下端が敷居部に移動可能に係留できるようにするために、敷居部の地面内に溝形鋼のような受け金具を埋め込んで、この受け金具の底面上に角鋼からなるレールを配置して、このレールの両側にパネルの下端と接続された一対のローラを接触させるようにした門扉の構造が知られている。
【特許文献２】実開平４−５３９９９号
【発明の開示】
【発明が解決しようとする課題】
【０００５】
上記特許文献１に示された仮設用門扉では、閉じられた状態のパネルが強風を受けて揺れ動くという危険を防止する手段として、左右の支柱の下端部間における敷居部地面より僅か上方に、ワイヤを弛みなく張り渡しておき、パネルの下端に設けたリングをこのワイヤに係留しておく構造であるため、パネルを左右に開いて車両を出入りさせるときには、敷居部分に張り渡されているワイヤの緊張状態を緩めてからでないと、車両が緊張状態にあるワイヤを踏みつけることでワイヤを切断したり、ワイヤ緊張装置を破損するという危険性を有している。
【０００６】
また、この仮設用門扉は、車両だけでなく作業員も頻繁に出入りするので、ワイヤを緊張させた状態では、作業員が足を引っ掛けて転倒する事故が発生するという問題、さらに、この門扉では、左右の支柱の下端部間にワイヤを締めたり弛めるための装置と、この装置を操作するための係員を必要とするなどの問題点を有している。
【０００７】
さらに、図８に示すように、門扉を設ける場所が傾斜地である場合、従来の門扉では、左右両支柱Ｙ１，Ｙ２間における敷居部地面Ｇの上方に、ワイヤＷを、地面の傾斜角度に関係なく、パネルＰの下端に沿って水平に弛みなく張り渡すことになるので、高さの低い方の支柱側Ｙ２ではワイヤＷと敷居部地面Ｇとの間に大きな空間Ｘができ、パネルＰを開いたのちにワイヤを弛める際に、ワイヤＷの繰り出し量が多くなって、繰り出されたワイヤが敷居部地面Ｇに不規則な状態に放置され、きわめて危険な状態になるという問題を有している。
【０００８】
一方、特許文献２に示した門扉のように、敷居部の地面内に溝形鋼のような受け金具を埋め込み、この受け金具の底面上に角鋼からなるレールを配置して、このレールの両側にパネルの下端と接続された一対のローラを接触させる構造のものでは、敷居部の上方にワイヤが張り渡されていないので、作業員が足を引っ掛けて転倒したり、ワイヤに締めたり弛めたりする装置や人員を必要としないという利点を有する。
【０００９】
しかし、この門扉の構造では、敷居部に埋設される溝形鋼製受け金具の底面上に設けられるレールが、幅の広い角鋼であることと、このレールの前後両側面にパネルの下端から延びる一対のローラを接触させる構造であるため、受け金具内に配置される角鋼レールの幅と２個のローラが占める幅とが重なった大きなスペースを必要とし、通常よりも大きい規格の溝形鋼を用いざるをえなくなる。
【００１０】
そのため、この門扉では、敷居部に幅が広く、かつ、深さの大きい溝が設けられることになり、溝内に土砂が溜まりやすく、しかも溜まった土砂は溝が深いために排出しにくく、結果として、絶えず頻繁に土砂を排出しなければならないので、管理が煩瑣であるという問題を有している。
【００１１】
また、この門扉では、パネルの下端から延びる一対のローラが、受け金具内のレールの前後両側面と接触するように挟着させる構造であるため、両ローラの支軸上端は、上方の支持板に片持ちに支持される構造となっている。そのため、受け金具内に上方から土砂が浸入して、レールの前後両側面に付着すると、レールの幅が拡張されて、上端を片持ちに支持したローラの下端幅が外側へ拡開し、レールに対する適正なローラの接触状態が得られなくなる、という問題を有している。
【００１２】
さらに、ローラとレールとは、単なる垂直な面による接触だけで、係合状態になっているわけではなく、しかもローラのレールに対する掛かり代が小さいために、例えば、敷居部の左右に高低さが生じた場合とか、前記のように、受け金具内に浸入した土砂がレールの前後両側面に付着してレールの断面を山形に傾斜させた場合に、ローラが傾斜面に沿って上方へ浮きあがって、レールから容易に外れてしまうという問題を有している。
【課題を解決するための手段】
【００１３】
本発明は、従来より知られる、仮設用門扉の上記のような問題点を解決するた
めに、折畳み可能なパネルの下端を、敷居部地面内に埋め込まれた溝形のレールケース内のレールに移動可能に係留して、常にパネルとレールとの一体性が保持されるようにしながら、しかも、レールを車両の通過のたび毎に締めたり緩めたりすることなく、パネルを安全に開閉できるようにした仮設用門扉の提供を目的とするものである。
【００１４】
本発明に係る仮設用門扉は、そのための具体的手段として、左右の支柱上端間に架設された支持梁によって、複数の走行棒の両側に折畳み可能に設けられたパネルが、開閉可能に吊下げ支持されている仮設用門扉において、左右の支柱下端間における敷居部の地面下に、溝形鋼のレール保護ケースを、上部開口縁が敷居部地面と同じ高さ位置にあるように埋設配置し、この保護ケース内には、長さ方向に沿った中央部に連結金具を設けて、この連結金具を中心とする保護ケース内の左右両側に一対の棒状のレールを配置し、これらレールの外端は保護ケースの側端板に接続し、これらレールの内端は連結金具に接続することで、レールを保護ケース内の中空に敷設し、パネル下端に設けたリングを前記レールに係留したことを特徴とする。
【００１５】
レール保護ケースの中央部に設けられる連結金具は、保護ケースの内側面から水平に突設したレール内端を連結するための左右一対の接続辺と、前記左右の接続辺の間における保護ケースの前後両側面間を、所定の間隔に保持するためにレールと直交する向きに貫通させた規制ボルトとを備えているような構成とすることが好ましい。
【００１６】
また、保護ケース中央部における規制ボルトが設けられる部分の保護ケース底面には、上方の両開きパネルにおける走行棒の下端に設けられたフランス落とし錠の落し孔が設けられるようにしておくことが好ましい。
【００１７】
さらに、レールの外端は、保護ケースの外端を閉じる側端板の中央部より片側にずれた位置に接続されて、レールが保護ケース内の中央軸心線より片側に沿って敷設されるようにしておき、保護ケース側端板におけるレール外端接続部より下方の片隅に排水孔が設けられるような構成としておくことが好ましい。
【発明の効果】
【００１８】
この発明の仮設用門扉によると、パネルの敷居部地面より下方に、溝形鋼からなるレール保護ケースを開口部が上面となるように設けて、この保護ケース内に鋼棒製のレールを、ケース内の中空に支持されるように設け、パネルの下端に設けたリングを前記レールに連通させるので、パネル下端とレールとは、パネルが開いているときでも、閉じているときでも、常にリングにより外れることのない確実な係留状態が維持でき、風の煽りによりパネルが動揺する事故を解消することができる。
【００１９】
しかも、パネルの下端を係留するレールは、パネルの敷居部地面より下方のケース溝内に配置されているので、従来の敷居部地面の上方にワイヤを張り渡す門扉のように、作業員が緊張しているワイヤに足を引っ掛けて転倒したり、車両が出入りする時に、緊張しているワイヤを踏みつけてワイヤが損傷するという問題を解消することができる。
【００２０】
また、敷居部に埋設される溝形鋼のレール保護ケース内には、レールが中空に支持され、このレールにパネル下端のリングが連通するだけなので、溝内はあまり大きなスペースを必要とせず、従って、保護ケースとして溝幅および深さの小さい規格の溝形鋼を使用することができ、溝内に落ち込んだ土砂の排出作業を容易に行うことができる。
【００２１】
レール保護ケースは、溝内の長さ方向に沿った中央部に連結金具を設け、一方、このケース内に設けられる棒状レールは、前記連結金具を境にして左右に分けられる保護ケースの半分の長さとして、これら一対のレールの外端をケース両端部に接続するとともに、これらレールの内端は連結金具に接続させたので、レールを保護ケース内の中空に弛むことなく敷設することができる。
【００２２】
さらに、レール保護ケースは、敷居の地面下方に埋設された状態では、溝の開口面上向きとなり、この開口面上を車両が通過する都度、車両荷重によって溝の開口面が押し開かれるような力を受けるが、保護ケースの中央部には連結金具が設けられているので、この連結金具がこの溝を押し開く力を阻止して、保護ケースの損傷を的確に防止することができる。
【発明を実施するための最良の形態】
【００２３】
レール保護ケースの中央部に設けられる連結金具としては、保護ケースの内側面から水平に突設したレール内端を連結するための左右一対の接続辺と、前記左右の接続辺の間における保護ケースの前後両側面間を、所定間隔に保持するために、レールと直交する向きに貫通させた規制ボルトとを備えているような構成とすることが好ましい。
【実施例】
【００２４】
次に、本発明に係る仮設用門扉の構成を、図面に示す実施例について説明すると、図１は、この門扉の全体の構成を示す正面図であり、左右の支柱２の上端に支持梁１が架設され、この支持梁１の下面には溝形の案内軌条３が設けられていて、この案内軌条３にパネル４の走行棒５の上端に設けられた走行ローラ６が走行自在に吊り下げ支持されている。
【００２５】
パネル４は、公知の仮設用門扉の構造と同様に、中央部の二本の走行棒５ａ，５ｂを中心として、左右の支柱２の方向へ開く扉体７を形成し、これらの扉体７は、それぞれ複数のパネル片８が走行棒５を軸としてアコーデオン状に連結されることで、全体が自由に開いたり閉じたりできるように支持されている。
【００２６】
前記左右の支柱２の下端間を結ぶ敷居部の地面には、溝形鋼からなるレール保護ケース９を埋め込むことのできる溝孔１０を設けて、この溝孔１０内に前記保護ケース９を上部開口縁９ａが敷居部地面と同じ高さ位置にあるように埋め込み配置する。なお、この保護ケース９は、図４に示すように、ケース外側面の複数箇所に水平な安定板１１を突出させておき、溝孔１０内へ埋設して周囲をコンクリート２３で固定することにより、保護ケース９が溝孔１０内で深く沈んだり、浮き上がることなく、安定よく埋設できるように構成されている。
【００２７】
図１に示すように、この保護ケース９は、長さ方向に沿った両端が左右の支柱２の位置よりも外側へ突出するような十分な長さを有していて、ケース溝内の長さ方向に沿った中央部にはケース溝内に配設されるレール１２の連結金具１３が設けられている。
【００２８】
ケース９の中央部に設けられる連結金具１３は、保護ケース９内の前記連結金具１３を境とする左右の両側に、一対のレール１２を敷設するためのものであって、図３および図６に示すように、ケース９の内側面から左右一対の接続辺１４を水平に突設して、これらの接続辺１４に一対のレール内端１２ａがそれぞれ連結されている。
【００２９】
また、保護ケース９の中央部における前後両側面９ｂ，９ｃの幅間隔が、拡開しないよう保持するために、前後両側面９ｂ，９ｃの間に、規制ボルト１５をケース９の長さ方向と直交する向きに貫通させてナット１６で固定している。
【００３０】
また、前記連結金具１３が設けられる保護ケース９の中央部底面には、上方の両開きパネル４における中央部の二本の走行棒５ａ，５ｂの下端に設けられたフランス落とし錠１７の落し孔１８が設けられている。
【００３１】
さらに、保護ケース９の両端には、ケース９内に敷設されるレール１２の一端を接続固定するための側端板１９が設けられていて、この側端板１９におけるレール１２の接続部より下方の片隅に、ケース内に溜まった水を排出するための排水孔２０が開設されている。
【００３２】
保護ケース９内に敷設されるレール１２は、連結金具１３を境とする両側に敷設されるような左右一対の鋼棒からなっていて、これら左右のレール１２の外端１２ｂが保護ケース９の両端を閉じる側端板１９に接続されるとともに、これらのレール１２の内端１２ａが前記連結金具１３の接続辺１４に接続されて、これらのレール１２に、上方のパネル４の下端に設けられたリング２１が係留されている。なお、レール外端１２ｂが挿通する側端板１９の外側にはナット２２が締め付けられて、レール１２に適度の緊張力が与えられるようになっている。
【００３３】
前記のように、保護ケース９の両端の側端板１９には、下方の片隅にケース内に溜まった水を排出するための排水孔２０が開設されることと、中央部の連結金具１２には、上方の中央部走行棒５ａ，５ｂの下端に設けられたフランス落とし錠１７の落し孔１８が設けられることから、図５及び図６に示すように、レール１２はケース９内の中央軸心線Ｃよりやや片側にずれた位置に沿って敷設されている。
【００３４】
レール１２をケース９内の中央軸線よりやや片側にずれた位置に沿って敷設するということは、レール１２を片側に設けること自体に利点があるというよりは、ケース両端部の側端板１９の片隅に排水孔２０を設けたり、中央部の連結金具１２の部分にフランス落としの孔１８を設けた場合でも、レール１２をケース９内の片側に設けることで、これらの構成をケース９内にうまく収めることができるということ、つまり、保護ケース９として、従来のこの種の装置のように、幅広の大きな規格のものを用いなくても、前後両側面９ｂ，９ｃの幅間隔が通常の規格の溝形鋼を使用して、低廉に製造することができるということである。
【００３５】
図７は、本発明の門扉を、傾斜地における出入り口に設けた場合の例を示している。この場合も、レール１２は傾斜する敷居部地面内のケース９内に収められているので、予め、パネル４の下端とレール１２との間を複数個のリングを繋いだチエーン２４により連結しておけば、高さの低い方の支柱側２におけるパネル４の下端とレール１２との間の空間をチエーン２４で塞ぐことができ、パネルＰを開いた時にも、チエーン２４が敷居部上に不規則な状態に放置されような問題を生ずることがない。
【００３６】
なお、上記実施例では、レール１２として鋼棒を使用すると述べたが、ワイヤを使用してもよい。また、図面では示さなかったが、パネル４の下端に設けられたリング２１は、単にワイヤ製のものとするだけでなく、タワシ状もしくはブラシ状のものとしておけば、レール１２に沿って保護ケース９内を移動する際にケース内を清掃することができ有効である。
【産業上の利用可能性】
【００３７】
この発明の仮設用門扉では、門扉パネルの敷居地面下の地上より低い位置に、鋼棒製のレールを弛みなく張り渡せるように敷設して、このレールにパネルの下端のリングを係留するように構成したので、パネルを常に自由に開閉できるととに、敷居の上方地面上にワイヤを緊張した状態で張り渡さなくて済むため、作業員、車両の通行に際しての安全性を的確に保証することができる。
【図面の簡単な説明】
【００３８】
【図１】本発明に係る仮設用門扉の構成を示す全体正面図。
【図２】門扉下方の敷居部の構成を、正面方向から見た部分拡大断面図。
【図３】同じ部分の上方から見た部分拡大断面図。
【図４】図２のＡ−Ａ線における断面図。
【図５】図２のＢ−Ｂ線における断面図。
【図６】図２のＣ−Ｃ線における断面図。
【図７】この門扉を傾斜地に設けた場合の正面図。
【図８】従来のこの種の門扉を傾斜地に設けた場合の正面図。
【符号の説明】
【００３９】
１：支持梁、
２：支柱、
３：案内軌条、
４：パネル、
５：走行棒、
６：走行ローラ、
７：扉体、
８：パネル片、
９：保護ケース、
９ａ：上部開口縁、
９ｂ，９ｂ：前後両側面、
１０：溝孔、
１１：安定板、
１２：レール、
１２ａ：レール内端、
１２ｂ：レール外端、
１３：連結金具、
１４：接続辺、
１５：規制ボルト、
１６：ナット、
１７：フランス落とし錠、
１８：落し孔、
１９：側端板、
２０：排水孔、
２１：リング、
２２：ナット、
２３：コンクリート、
２４：チエーン
【図１】
2005076424.tif 000003
【図２】
2005076424.tif 000004
【図３】
2005076424.tif 000005
【図４】
2005076424.tif 000006
【図５】
2005076424.tif 000007
【図６】
2005076424.tif 000008
【図７】
2005076424.tif 000009
【図８】
2005076424.tif 000010